(57)【要約】【課題】一般ユーザによるアクセスが容易ではないレジ店員スペースに配置されていることがあるタバコパックなどの店頭販売商品でも、購入を簡単かつ迅速としてＬＴＶとリテンションを向上させる販売支援システムを提供する。【解決手段】レジ店員スペースのディスプレイパネル４０１に複数種類の店頭販売商品等を画像表示させ、ユーザ携帯端末１００のユーザ入力操作に対応して画像表示されている店頭販売商品等を自在に選定して売買決済処理を実行する。このため、一般ユーザは自身のユーザ携帯端末１００のユーザ入力操作でディスプレイパネル４０１に画像表示されている店頭販売商品等を自在に選定することができ、この選定されている店頭販売商品等の売買決済処理も実行することができる。【選択図】図１
2010170224.tif 000002
【特許請求の範囲】
【請求項１】
前記一般ユーザに携帯されて各種のユーザ入力操作が実行されるユーザ携帯端末と無線通信する販売支援システムであって、
サプライチェーン店舗のレジ店員スペースに設置されて一般ユーザの要望により店舗作業員が取得する店頭販売商品を商品収容位置ごとに取得自在に収容する店頭収容ラックと、
少なくとも前記店頭収容ラックに収容されている前記店頭販売商品を記憶する収容記憶部と、
前記レジ店員スペースに設置されて前記一般ユーザに表示画像が視認される画像表示デバイスと、
前記店頭収容ラックに収容されている複数種類の前記店頭販売商品を前記画像表示デバイスに画像表示させる商品表示部と、
前記ユーザ携帯端末のユーザ入力操作に対応して前記画像表示デバイスに画像表示されている前記店頭販売商品を自在に選定する商品選定部と、
前記ユーザ携帯端末のユーザ入力操作に対応して前記画像表示デバイスで選定されている前記店頭販売商品の売買決済処理を実行する決済制御部と、
を有する販売支援システム。
【請求項２】
前記決済制御部は、前記ユーザ携帯端末に形成されていて前記画像表示デバイスで選定されている前記店頭販売商品の前記売買決済処理を実行する請求項１に記載の販売支援システム。
【請求項３】
各種の前記店頭販売商品の前記売買決済処理を実行する販売処理装置が前記レジ店員スペースに設置されており、
前記決済制御部は、前記販売処理装置と無線通信して選定されている前記店頭販売商品の前記売買決済処理を実行させる請求項１または２に記載の販売支援システム。
【請求項４】
各種の前記店頭販売商品の前記売買決済処理を実行する販売処理装置が前記レジ店員スペースに設置されており、
前記ユーザ携帯端末は、前記売買決済処理が完了した前記店頭販売商品の販売商品情報を前記販売処理装置まで送信する決済送信部を、さらに有し、
前記販売処理装置は、前記売買決済処理が完了した前記店頭販売商品の販売商品情報を前記ユーザ携帯端末から受信して店舗作業員に報知出力する商品報知部を、さらに有する請求項１ないし３の何れか一項に記載の販売支援システム。
【請求項５】
前記ユーザ携帯端末のユーザ入力操作に対応して前記画像表示デバイスで選定されている前記店頭販売商品を確定する商品確定部を、さらに有し、
前記決済制御部は、選定されてから確定された前記店頭販売商品の前記売買決済処理を実行する請求項１ないし４の何れか一項に記載の販売支援システム。
【請求項６】
前記販売処理装置に形成されていて確定された前記店頭販売商品を前記店舗作業員に報知出力する商品報知部を、さらに有する請求項５に記載の販売支援システム。
【請求項７】
前記ユーザ携帯端末は、上下左右のユーザ入力操作を受け付ける縦横操作部と、
前記縦横操作部のユーザ入力操作に対応して画像表示されている前記店頭販売商品の選定部位を上下左右に移動させる選定移動信号を前記画像表示デバイスに無線送信する選定送信部と、
選定されている前記店頭販売商品を確定するユーザ入力操作を受け付ける確定操作部と、
前記確定操作部のユーザ入力操作に対応して選定されている前記店頭販売商品を確定する商品確定信号を前記画像表示デバイスに無線送信する確定送信部とを、
さらに有する請求項５または６に記載の販売支援システム。
【請求項８】
前記商品表示部は、複数種類の前記店頭販売商品を上下左右に配列させて前記画像表示デバイスに画像表示させ、
前記商品選定部は、前記ユーザ携帯端末から無線受信する前記選定移動信号により前記画像表示デバイスに画像表示されている前記店頭販売商品を選定し、
前記商品確定部は、前記ユーザ携帯端末から無線受信する前記商品確定信号により前記画像表示デバイスで選定されている前記店頭販売商品を確定する請求項７に記載の販売支援システム。
【請求項９】
前記ユーザ携帯端末と前記画像表示デバイスとに赤外線で無線通信する赤外線通信ユニットが搭載されており、
前記商品選定部と前記商品確定部とが前記画像表示デバイスに形成されていて前記ユーザ携帯端末と赤外線通信する請求項１ないし８の何れか一項に記載の販売支援システム。
【請求項１０】
前記収容記憶部は、前記店頭収容ラックの複数種類の前記店頭販売商品と複数の前記商品収容位置との収容対応関係を記憶し、
前記商品表示部は、記憶されている前記収容対応関係により複数種類の前記店頭販売商品を前記商品収容位置に対応して前記画像表示デバイスに画像表示させる請求項７ないし９の何れか一項に記載の販売支援システム。
【請求項１１】
複数種類の前記店頭販売商品の少なくとも一部とともに関連する前記店頭販売商品の宣伝画像データを記憶する宣伝記憶部と、
確定された前記店頭販売商品とともに記憶されている前記宣伝画像データを選出する宣伝選出部と、
選出された前記宣伝画像データを確定された前記店頭販売商品とともに前記画像表示デバイスに表示出力させる宣伝表示部とを、
さらに有する請求項１ないし１０の何れか一項に記載の販売支援システム。
【請求項１２】
前記店頭収容ラックに形成されていて確定された前記店頭販売商品の前記商品収容位置を報知出力する収容報知部を、さらに有する請求項１ないし１１の何れか一項に記載の販売支援システム。
【請求項１３】
前記販売処理装置は、前記店頭販売商品の売買決済処理に対応して販売履歴データを生成し、
前記サプライチェーン店舗の店舗バックヤードなどに設置されて生成された前記販売履歴データを取得する店舗サーバ装置を、さらに有し、
前記店舗サーバ装置は、前記収容記憶部と前記商品表示部と前記商品選定部と前記決済制御部との少なくとも一部を有する請求項１ないし１２の何れか一項に記載の販売支援システム。
【請求項１４】
前記店頭収容ラックは、前記収容記憶部と前記商品表示部と前記商品選定部と前記決済制御部との少なくとも一部を有する請求項１ないし１２の何れか一項に記載の販売支援システム。
【請求項１５】
前記販売処理装置は、前記収容記憶部と前記商品表示部と前記商品選定部と前記決済制御部との少なくとも一部を有する請求項１ないし１２の何れか一項に記載の販売支援システム。
【請求項１６】
前記レジ店員スペースでの前記販売処理装置の近傍で前記一般ユーザに視認される位置に設置される画像表示装置を、さらに有し、
前記画像表示装置は、前記収容記憶部と前記商品表示部と前記商品選定部と前記決済制御部との少なくとも一部と前記画像表示デバイスとを有する請求項１ないし１２の何れか一項に記載の販売支援システム。
【請求項１７】
請求項１３に記載の販売支援システムの前記店舗サーバ装置であって、
前記収容記憶部と前記商品表示部と前記商品選定部と前記決済制御部との少なくとも一部を有する店舗サーバ装置。
【請求項１８】
請求項１４に記載の販売支援システムの前記店頭収容ラックであって、
前記収容記憶部と前記商品表示部と前記商品選定部と前記決済制御部との少なくとも一部を有する店頭収容ラック。
【請求項１９】
請求項１５に記載の販売支援システムの前記販売処理装置であって、
前記収容記憶部と前記商品表示部と前記商品選定部と前記決済制御部との少なくとも一部を有する販売処理装置。
【請求項２０】
請求項１６に記載の販売支援システムの前記画像表示装置であって、
前記収容記憶部と前記商品表示部と前記商品選定部と前記決済制御部との少なくとも一部と前記画像表示デバイスとを有する画像表示装置。
【請求項２１】
請求項１７に記載の前記店舗サーバ装置と請求項１８に記載の前記店頭収容ラックと請求項１９に記載の前記販売処理装置と請求項２０に記載の前記画像表示装置との少なくとも一個のコンピュータプログラムであって、
少なくとも前記店頭収容ラックに収容されている前記店頭販売商品を記憶する収容記憶処理と、
前記店頭収容ラックに収容されている複数種類の前記店頭販売商品を前記画像表示デバイスに画像表示させる商品表示処理と、
前記ユーザ携帯端末のユーザ入力操作に対応して前記画像表示デバイスに画像表示されている前記店頭販売商品を自在に選定する商品選定処理と、
前記ユーザ携帯端末のユーザ入力操作に対応して前記画像表示デバイスで選定されている前記店頭販売商品の前記売買決済処理を実行する売買決済処理と、
の少なくとも一部を前記店舗サーバ装置と前記店頭収容ラックと前記販売処理装置と前記画像表示装置との少なくとも一個に実行させるコンピュータプログラム。
【請求項２２】
請求項１７に記載の前記店舗サーバ装置と請求項１８に記載の前記店頭収容ラックと請求項１９に記載の前記販売処理装置と請求項２０に記載の前記画像表示装置との少なくとも一個のデータ処理方法であって、
少なくとも前記店頭収容ラックに収容されている前記店頭販売商品を記憶する収容記憶動作と、
前記店頭収容ラックに収容されている複数種類の前記店頭販売商品を前記画像表示デバイスに画像表示させる商品表示動作と、
前記ユーザ携帯端末のユーザ入力操作に対応して前記画像表示デバイスに画像表示されている前記店頭販売商品を自在に選定する商品選定動作と、
前記ユーザ携帯端末のユーザ入力操作に対応して前記画像表示デバイスで選定されている前記店頭販売商品の前記売買決済処理を実行する決済制御動作と、
の少なくとも一部を前記店舗サーバ装置と前記店頭収容ラックと前記販売処理装置と前記画像表示装置との少なくとも一個に実行させるデータ処理方法。
【発明の詳細な説明】
【技術分野】
【０００１】
本発明は、店頭販売商品を一般ユーザに販売するサプライチェーン店舗で利用される販売支援システム、その店舗サーバ装置および店頭収容ラックおよび販売処理装置および画像表示装置、そのコンピュータプログラムおよびデータ処理方法、に関する。
【背景技術】
【０００２】
現在、いわゆる携帯電話やＰＤＡ(Personal Digital Assistance)などのユーザ携帯端末が、多数の一般ユーザに普及している。このようなユーザ携帯端末は、高機能化および多機能化が日々進んでおり、例えば、いわゆるクレジットカードと同様に機能したり、いわゆる電子マネーを保持することで、売買決済処理を実行できるものがある。
【０００３】
例えば、契約クレジット会社のみが暗号復元化装置によりカード所有者を認識可能にしたクレジットカード決済機能付携帯電話の決済システムが提案されている。つまり、従来のクレジットカード機能を有する携帯電話においては、電子決済通信端末との通信が有線または無線であり、通信の際にクレジット情報が外部に露出するといった安全性の問題が存在した。
【０００４】
そこで、携帯電話のＩＣ(Integrated Circuit)メモリ部にクレジット会社で暗号化したクレジットカード番号を含むクレジット情報を記録すると共に、電子決済通信端末との通信を可能にする送受信部が搭載された携帯電話と、店のレジスタなどの装置に搭載または、接続された電子決済通信端末との間で通信を確立し、該クレジットカード機能を有する携帯電話を、該電子決済通信端末の送受信部に近づけることにより、暗号化クレジットカード番号などの決済情報を契約クレジットカード会社に通信回線を介して送信する(例えば、特許文献１参照)。
【０００５】
また、携帯電話を電子マネーを格納する疑似財布とし、それに対応する専用端末を店舗側に設置することにより、携帯電話を用いて電子マネー決済を行うシステムも提案されている。
【０００６】
そのシステムでは、電子マネー用携帯電話と、専用メモリーと、店舗に設置される専用端末機と、取り引き金融機関と、これらを相互に接続する通信ネットワークとから構成され、電子マネー用携帯電話は、取り引き金融機関から預金を引き出して電子マネーデータとして専用メモリーに格納し、商取引の支払い時には、格納した電子マネーデータを用いて専用端末機に支払を行い、専用端末機は、取り引き金融機関にアクセスして支払われた電子マネーを精算する(例えば、特許文献２参照)。
【０００７】
また、いわゆるコンビニエンスストアなどのサプライチェーン店舗では、商品売場に什器などと呼称される店頭収容ラックが設置されている。また、いわゆるレジ店員スペースには、いわゆるＰＯＳ(Point Of Sales)端末や電子キャッシュレジスタなどと呼称される販売処理装置が設置されている。
【０００８】
そこで、一般ユーザが所望の店頭販売商品を店頭収容ラックから取得してレジ店員スペースまで移送すると、その店頭販売商品を店舗作業員が販売処理装置で売買決済処理を実行することになる。
【０００９】
この販売処理装置は、店頭販売商品に付与されている商品ＩＤデータで売買決済処理を実行する。より具体的には、一般的な販売処理装置は、キーボードユニットやバーコードリーダを有する。
【００１０】
一方、店頭販売商品には商品ＩＤデータであるＪＡＮ(Japanese Article Number)コードが、バーコード画像および数列テキストに格納されている。そこで、そのバーコード画像をバーコードリーダに光学読取させたり、数列テキストをキーボードユニットに入力操作することで、商品ＩＤデータが販売処理装置に入力されて売買決済処理される。
【００１１】
しかし、例えば、タバコパックなどはコンビニエンスストアのユーザ移動スペースの商品収容ラックには収容されず、レジ店員スペースの後方の商品収容ラックに収容されていることが多々ある。
【００１２】
このような場合、一般ユーザが所望のタバコパックを購入するためには、その呼称を店舗作業員に口頭で伝達し、商品収容ラックから取得してもらう必要がある。しかし、これでは一般ユーザも店舗作業員も煩雑である。
【００１３】
そこで、顧客側の表示器にタッチパネルを備え、顧客側表示器のタッチパネルからもオペレータ側表示器のタッチパネルからも同時に商品入力することを可能とする２画面入力ＰＯＳシステムも提案されている。
【００１４】
そのＰＯＳシステムでは、オペレータ側表示器（タッチパネル付き）、顧客側表示器（タッチパネル付き）を備え、コンビニエンスストアなどで扱われている顧客がオペレータへ口頭で注文する商品で複数の種類が存在する商品（例：おでん）が注文された場合、それに属する商品を検索し、商品のメニューを顧客側表示器のタッチパネルとオペレータ側表示器のタッチパネルに表示する手段を用いて、オペレータ側で行う売り上げ入力作業と並行して、顧客自身が顧客側表示器から商品選択（タッチ入力）する(例えば、特許文献２参照)。
【００１５】
また、選択キーの操作に応答してひらがな五十音文字入力、カタカナ五十音文字入力、英文字入力の何れの入力モードであるのか区別し易い情報処理装置が提案されている。
【００１６】
その情報処理装置は、オペレータから操作されるタッチセンサ及びビットマップディスプレイを有する操作盤と、テンキーボタンをビットマップ表示させるテンキー表示手段と、ひらがな選択ボタンを表示させる第一のボタン表示手段と、アルファベット選択ボタンを表示させる第二のボタン表示手段と、数字選択ボタンを表示させる第３のボタン表示手段と、を備える(例えば、特許文献３参照)。
【先行技術文献】
【特許文献】
【００１７】
【特許文献１】特開２００２−２６９４８５号公報
【特許文献２】特開２００２−３５２１７３号公報
【特許文献３】特開２００６−１２９２６８号公報
【発明の概要】
【発明が解決しようとする課題】
【００１８】
しかし、現在は様々な商品が多品種となっており、上述したタバコパックなどの店頭販売商品も例外ではない。このため、タバコパックなどの店頭販売商品の品種も頻繁に増加しており、これに対応して店頭収容ラックの商品収容位置の個数も増大している。
【００１９】
しかも、上述のように店頭販売商品に新製品が頻繁に追加されるため、店頭収容ラックの商品収容位置に収容される店頭販売商品の位置も頻繁に変更されることになる。一方、いわゆるコンビニエンスストアなどのサプライチェーン店舗では、その店舗作業員は日々交代するアルバイト店員であることが多々ある。
【００２０】
このため、今日の巨大な店頭収容ラックの膨大な商品収容位置から、一般ユーザが所望する店頭販売商品をアルバイトなどの店舗作業員が即座に発見することは、非常に困難である。
【００２１】
特に、タバコパックなどの店頭販売商品では、「××」「××ライト」「××メンソール」などのように、共通ブランドでの多様化が進行している。当然ながら、このようなタバコパックはフェイス画像などと呼称される製品前面画像も類似している。
【００２２】
このため、一般ユーザが「××ライト」を所望しているのに店舗作業員が「××メンソール」と錯誤するようなことが多発する。このようなことが多発すると、店頭収容ラックに店頭販売商品が収容されていても、一般ユーザを大幅に待たせることになり、店舗作業員も煩雑な作業を強いられることになる。
【００２３】
一方、上述のような作業のために一人の一般ユーザが店舗作業員を占有することは、他の一般ユーザに迷惑となる。このため、一般ユーザは自身で気楽に所望の店頭販売商品を選定して決済したいとの要望がある。
【００２４】
例えば、これを実現しているものが自動販売機である。しかし、アルコール飲料やタバコパックなどの自動販売機では、一般ユーザの成人認証が必要とされて商品購入が煩雑な場合がある。
【００２５】
そのため、店頭での商品購入を希望する一般ユーザが多い。しかし、上述のようなことが頻発すると、当然ながら、その一般ユーザが、その商品販売店舗を利用すること、その商品販売店舗で、その店頭販売商品を購入すること、が減少する原因となり、いわゆるＬＴＶ(Life Time Value)とリテンションが低下することとなる。
【００２６】
なお、ＬＴＶとは、個々の顧客がある製品や企業に対して付き合っている間に支払う金額合計から、その顧客を獲得・維持するための費用合計を差し引いた「累積 利益額」である。つまり、企業から見て、ある顧客が、その企業と取引している間にどれだけの価値（利益）をもたらしてくれるかを測定する、長期的な視点での指標である。
【００２７】
本発明は上述のような課題に鑑みてなされたものであり、タバコパックなどのようにレジ店員スペースの後方の店頭収容ラックに収容されている商品収容位置などでも、一般ユーザが所望の店頭販売商品を簡単に気兼ねなく選定して購入することができる販売支援システム、その店舗サーバ装置および店頭収容ラックおよび販売処理装置および画像表示装置、そのコンピュータプログラムおよびデータ処理方法、を提供するものである。
【課題を解決するための手段】
【００２８】
本発明の販売支援システムは、一般ユーザに携帯されて各種のユーザ入力操作が実行されるユーザ携帯端末と無線通信する販売支援システムであって、サプライチェーン店舗のレジ店員スペースに設置されて一般ユーザの要望により店舗作業員が取得する店頭販売商品を商品収容位置ごとに取得自在に収容する店頭収容ラックと、少なくとも店頭収容ラックに収容されている店頭販売商品を記憶する収容記憶部と、レジ店員スペースに設置されて一般ユーザに表示画像が視認される画像表示デバイスと、店頭収容ラックに収容されている複数種類の店頭販売商品を画像表示デバイスに画像表示させる商品表示部と、ユーザ携帯端末のユーザ入力操作に対応して画像表示デバイスに画像表示されている店頭販売商品を自在に選定する商品選定部と、ユーザ携帯端末のユーザ入力操作に対応して画像表示デバイスで選定されている店頭販売商品の売買決済処理を実行する決済制御部と、を有する。
【００２９】
従って、本発明の販売支援システムでは、サプライチェーン店舗のレジ店員スペースに設置される店頭収容ラックが一般ユーザの要望により店舗作業員が取得する店頭販売商品を商品収容位置ごとに取得自在に収容し、少なくとも店頭収容ラックに収容されている店頭販売商品を収容記憶部が記憶する。
【００３０】
表示画像が一般ユーザに視認される画像表示デバイスがレジ店員スペースに設置され、その画像表示デバイスに商品表示部が店頭収容ラックに収容されている複数種類の店頭販売商品を画像表示させる。
【００３１】
ユーザ携帯端末のユーザ入力操作に対応して画像表示デバイスに画像表示されている店頭販売商品を商品選定部が自在に選定し、ユーザ携帯端末のユーザ入力操作に対応して画像表示デバイスで選定されている店頭販売商品の売買決済処理を実行制御部が実行する。
【００３２】
このため、一般ユーザは自身のユーザ携帯端末のユーザ入力操作で画像表示デバイスに画像表示されている店頭販売商品を自在に選定することができ、この選定されている店頭販売商品の売買決済処理も実行することができる。
【００３３】
また、上述のような販売支援システムにおいて、決済制御部は、ユーザ携帯端末に形成されていて画像表示デバイスで選定されている店頭販売商品の売買決済処理を実行してもよい。
【００３４】
また、上述のような販売支援システムにおいて、各種の店頭販売商品の売買決済処理を実行する販売処理装置がレジ店員スペースに設置されており、決済制御部は、販売処理装置と無線通信して選定されている店頭販売商品の売買決済処理を実行させてもよい。
【００３５】
また、上述のような販売支援システムにおいて、各種の店頭販売商品の売買決済処理を実行する販売処理装置がレジ店員スペースに設置されており、ユーザ携帯端末は、売買決済処理が完了した店頭販売商品の販売商品情報を販売処理装置まで送信する決済送信部を、さらに有し、販売処理装置は、売買決済処理が完了した店頭販売商品の販売商品情報をユーザ携帯端末から受信して店舗作業員に報知出力する商品報知部を、さらに有してもよい。
【００３６】
また、上述のような販売支援システムにおいて、ユーザ携帯端末のユーザ入力操作に対応して画像表示デバイスで選定されている店頭販売商品を確定する商品確定部を、さらに有し、決済制御部は、選定されてから確定された店頭販売商品の売買決済処理を実行してもよい。
【００３７】
また、上述のような販売支援システムにおいて、販売処理装置に形成されていて確定された店頭販売商品を店舗作業員に報知出力する商品報知部を、さらに有してもよい。
【００３８】
また、上述のような販売支援システムにおいて、ユーザ携帯端末は、上下左右のユーザ入力操作を受け付ける縦横操作部と、縦横操作部のユーザ入力操作に対応して画像表示されている店頭販売商品の選定部位を上下左右に移動させる選定移動信号を画像表示デバイスに無線送信する選定送信部と、選定されている店頭販売商品を確定するユーザ入力操作を受け付ける確定操作部と、確定操作部のユーザ入力操作に対応して選定されている店頭販売商品を確定する商品確定信号を画像表示デバイスに無線送信する確定送信部とを、さらに有してもよい。
【００３９】
また、上述のような販売支援システムにおいて、商品表示部は、複数種類の店頭販売商品を上下左右に配列させて画像表示デバイスに画像表示させ、商品選定部は、ユーザ携帯端末から無線受信する選定移動信号により画像表示デバイスに画像表示されている店頭販売商品を選定し、商品確定部は、ユーザ携帯端末から無線受信する商品確定信号により画像表示デバイスで選定されている店頭販売商品を確定してもよい。
【００４０】
また、上述のような販売支援システムにおいて、ユーザ携帯端末と画像表示デバイスとに赤外線で無線通信する赤外線通信ユニットが搭載されており、商品選定部と商品確定部とが画像表示デバイスに形成されていてユーザ携帯端末と赤外線通信してもよい。
【００４１】
また、上述のような販売支援システムにおいて、収容記憶部は、店頭収容ラックの複数種類の店頭販売商品と複数の商品収容位置との収容対応関係を記憶し、商品表示部は、記憶されている収容対応関係により複数種類の店頭販売商品を商品収容位置に対応して画像表示デバイスに画像表示させてもよい。
【００４２】
また、上述のような販売支援システムにおいて、複数種類の店頭販売商品の少なくとも一部とともに関連する店頭販売商品の宣伝画像データを記憶する宣伝記憶部と、確定された店頭販売商品とともに記憶されている宣伝画像データを選出する宣伝選出部と、選出された宣伝画像データを確定された店頭販売商品とともに画像表示デバイスに表示出力させる宣伝表示部とを、さらに有してもよい。
【００４３】
また、上述のような販売支援システムにおいて、店頭収容ラックに形成されていて確定された店頭販売商品の商品収容位置を報知出力する収容報知部を、さらに有してもよい。
【００４４】
また、上述のような販売支援システムにおいて、販売処理装置は、店頭販売商品の売買決済処理に対応して販売履歴データを生成し、サプライチェーン店舗の店舗バックヤードなどに設置されて生成された販売履歴データを取得する店舗サーバ装置を、さらに有し、店舗サーバ装置は、収容記憶部と商品表示部と商品選定部と決済制御部との少なくとも一部を有してもよい。
【００４５】
また、上述のような販売支援システムにおいて、店頭収容ラックは、収容記憶部と商品表示部と商品選定部と決済制御部との少なくとも一部を有してもよい。
【００４６】
また、上述のような販売支援システムにおいて、販売処理装置は、収容記憶部と商品表示部と商品選定部と決済制御部との少なくとも一部を有してもよい。
【００４７】
また、上述のような販売支援システムにおいて、レジ店員スペースでの販売処理装置の近傍で一般ユーザに視認される位置に設置される画像表示装置を、さらに有し、画像表示装置は、収容記憶部と商品表示部と商品選定部と決済制御部との少なくとも一部と画像表示デバイスとを有してもよい。
【００４８】
本発明の店舗サーバ装置は、本発明の販売支援システムの店舗サーバ装置であって、収容記憶部と商品表示部と商品選定部と決済制御部との少なくとも一部を有する。
【００４９】
本発明の店頭収容ラックは、本発明の販売支援システムの店頭収容ラックであって、収容記憶部と商品表示部と商品選定部と決済制御部との少なくとも一部を有する。
【００５０】
本発明の販売処理装置は、本発明の販売支援システムの販売処理装置であって、収容記憶部と商品表示部と商品選定部と決済制御部との少なくとも一部を有する。
【００５１】
本発明の画像表示装置は、本発明の販売支援システムの画像表示装置であって、収容記憶部と商品表示部と商品選定部と決済制御部との少なくとも一部と画像表示デバイスとを有する。
【００５２】
本発明のコンピュータプログラムは、本発明の店舗サーバ装置と本発明の店頭収容ラックと本発明の販売処理装置と本発明の画像表示装置との少なくとも一個のコンピュータプログラムであって、少なくとも店頭収容ラックに収容されている店頭販売商品を記憶する収容記憶処理と、店頭収容ラックに収容されている複数種類の店頭販売商品を画像表示デバイスに画像表示させる商品表示処理と、ユーザ携帯端末のユーザ入力操作に対応して画像表示デバイスに画像表示されている店頭販売商品を自在に選定する商品選定処理と、ユーザ携帯端末のユーザ入力操作に対応して画像表示デバイスで選定されている店頭販売商品の売買決済処理を実行する売買決済処理と、の少なくとも一部を店舗サーバ装置と店頭収容ラックと販売処理装置と画像表示装置との少なくとも一個に実行させる。
【００５３】
本発明のデータ処理方法は、本発明の店舗サーバ装置と本発明の店頭収容ラックと本発明の販売処理装置と本発明の画像表示装置との少なくとも一個のデータ処理方法であって、少なくとも店頭収容ラックに収容されている店頭販売商品を記憶する収容記憶動作と、店頭収容ラックに収容されている複数種類の店頭販売商品を画像表示デバイスに画像表示させる商品表示動作と、ユーザ携帯端末のユーザ入力操作に対応して画像表示デバイスに画像表示されている店頭販売商品を自在に選定する商品選定動作と、ユーザ携帯端末のユーザ入力操作に対応して画像表示デバイスで選定されている店頭販売商品の売買決済処理を実行する決済制御動作と、の少なくとも一部を店舗サーバ装置と店頭収容ラックと販売処理装置と画像表示装置との少なくとも一個に実行させる。
【００５４】
なお、本発明の各種の構成要素は、その機能を実現するように形成されていればよく、例えば、所定の機能を発揮する専用のハードウェア、所定の機能がコンピュータプログラムにより付与された販売支援システム、コンピュータプログラムにより販売支援システムに実現された所定の機能、これらの任意の組み合わせ、等として実現することができる。
【００５５】
また、本発明の各種の構成要素は、個々に独立した存在である必要もなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でよい。
【００５６】
また、本発明のコンピュータプログラムおよびデータ処理方法は、複数の処理および動作を順番に記載してあるが、その記載の順番は複数の処理および複数の動作を実行する順番を限定するものではない。
【００５７】
このため、本発明のコンピュータプログラムおよびデータ処理方法を実施するときには、その複数の処理および複数の動作の順番は内容的に支障しない範囲で変更することができる。
【００５８】
さらに、本発明のコンピュータプログラムおよびデータ処理方法は、複数の処理および複数の動作が個々に相違するタイミングで実行されることに限定されない。このため、ある処理および動作の実行中に他の処理および動作が発生すること、ある処理および動作の実行タイミングと他の処理および動作の実行タイミングとの一部ないし全部が重複していること、等でもよい。
【発明の効果】
【００５９】
本発明の販売支援システムでは、サプライチェーン店舗のレジ店員スペースに設置される店頭収容ラックが一般ユーザの要望により店舗作業員が取得する店頭販売商品を商品収容位置ごとに取得自在に収容し、少なくとも店頭収容ラックに収容されている店頭販売商品を収容記憶部が記憶する。
【００６０】
表示画像が一般ユーザに視認される画像表示デバイスがレジ店員スペースに設置され、その画像表示デバイスに商品表示部が店頭収容ラックに収容されている複数種類の店頭販売商品を画像表示させる。
【００６１】
ユーザ携帯端末のユーザ入力操作に対応して画像表示デバイスに画像表示されている店頭販売商品を商品選定部が自在に選定し、ユーザ携帯端末のユーザ入力操作に対応して画像表示デバイスで選定されている店頭販売商品の売買決済処理を実行制御部が実行する。
【００６２】
このため、一般ユーザは自身のユーザ携帯端末のユーザ入力操作で画像表示デバイスに画像表示されている店頭販売商品を自在に選定することができ、この選定されている店頭販売商品の売買決済処理も実行することができる。
【００６３】
従って、一般ユーザによるアクセスが容易ではないレジ店員スペースのタバコパックなどの店頭販売商品でも、購入を簡単かつ迅速としてＬＴＶとリテンションを向上させることができる。
【図面の簡単な説明】
【００６４】
【図１】本発明の実施の形態の販売支援システムの論理構造を示す模式的なブロック図である。
【図２】販売支援システムの物理構造を示すブロック図である。
【図３】サプライチェーン店舗であるコンビニエンスストアのレジ店員スペースの内部レイアウトを示す模式的な斜視図である。
【図４】店頭販売商品であるタバコパックの外観を示す斜視図である。
【図５】ユーザ携帯端末の外観を示す斜視図である。
【図６】ユーザ携帯端末の回路構造を示すブロック図である。
【図７】店頭収容ラックの外観を示す斜視図である。
【図８】店頭収容ラックの回路構造を示すブロック図である。
【図９】画像表示装置の外観を示す正面図である。
【図１０】画像表示装置の回路構造を示すブロック図である。
【図１１】店頭収容ラックのデータ処理方法を示すフローチャートである。
【図１２】ユーザ携帯端末のデータ処理方法を示すフローチャートである。
【図１３】画像表示装置のデータ処理方法を示すフローチャートである。
【図１４】ユーザ携帯端末でタバコ簡易購入のアプリケーションプログラムが起動された状態を示す模式的な正面図である。
【図１５】ユーザ携帯端末のユーザ入力操作と画像表示装置の表示画像との関係を示す模式的な正面図である。
【図１６】ユーザ携帯端末のユーザ入力操作と画像表示装置の表示画像との関係を示す模式的な正面図である。
【図１７】一の変形例の販売支援システムの画像表示装置の表示画像を示す正面図である。
【発明を実施するための形態】
【００６５】
本発明の実施の一形態を図面を参照して以下に説明する。本実施の形態の販売支援システム１０００は、詳細には後述するが、一般ユーザに携帯されて各種のユーザ入力操作が実行されるユーザ携帯端末１００と無線通信する。
【００６６】
本実施の形態の販売支援システム１０００は、図１ないし図３に示すように、サプライチェーン店舗であるコンビニエンスストアＣＶＳのレジ店員スペースＳＲＳに設置されて一般ユーザの要望により店舗作業員が取得するタバコパックＳＴＰ等の店頭販売商品を商品収容位置ＰＫＳごとに取得自在に収容する店頭収容ラック３００と、少なくとも店頭収容ラック３００に収容されているタバコパックＳＴＰ等を記憶する収容記憶部３１０と、レジ店員スペースＳＲＳに設置されて一般ユーザに表示画像が視認される画像表示デバイスであるディスプレイパネル４０１と、店頭収容ラック３００に収容されている複数種類のタバコパックＳＴＰ等をディスプレイパネル４０１に画像表示させる商品表示部４１０と、ユーザ携帯端末１００のユーザ入力操作に対応してディスプレイパネル４０１に画像表示されているタバコパックＳＴＰ等を自在に選定する商品選定部４２０と、ユーザ携帯端末１００のユーザ入力操作に対応してディスプレイパネル４０１で選定されているタバコパックＳＴＰ等を確定する商品確定部４３０と、確定されたタバコパックＳＴＰ等の売買決済処理を実行する決済制御部１１１と、を有する。
【００６７】
より具体的には、本実施の形態の販売支援システム１０００は、図１ないし図３に示すように、上述した販売処理装置２００および店頭収容ラック３００とともに画像表示装置４００も有する。
【００６８】
販売処理装置２００は、いわゆる電子キャッシュレジスタやＰＯＳ端末からなり、図３に示すように、コンビニエンスストアＣＶＳのレジ店員スペースＳＲＳに少なくとも一個が設置されている。
【００６９】
ただし、本実施の形態の販売支援システム１０００では、例えば、上述のようなレジ店員スペースＳＲＳの後方などに店頭収容ラック３００が設置されており、後部上方などに画像表示装置４００が天井面(図示せず)から懸架されている。
【００７０】
なお、本実施の形態の販売支援システム１０００が対象とする店頭販売商品であるタバコパックＳＴＰは、例えば、図４に示すように、バーコード画像が表記されており、このバーコード画像に商品ＩＤデータＴＩＤが登録されている。
【００７１】
なお、詳細には後述するが、タバコパックＳＴＰは、図７に示すように、いわゆるタバコカートンＳＴＫやブリックパックＳＢＰなどとしても製品化されている。このタバコカートンＳＴＫなどにもバーコード画像が表記されており、そのバーコード画像にはタバコカートンＳＴＫなどの商品ＩＤデータＴＩＤが登録されている。
【００７２】
そこで、販売処理装置２００は、例えば、上述のようなバーコード画像をバーコードリーダ(図示せず)で光学読取することなどにより、タバコパックＳＴＰ等の各種の店頭販売商品の売買決済処理を実行する。
【００７３】
このため、販売処理装置２００は、既存のＰＯＳ端末などと同様に、コンピュータユニット、キーボードデバイス、ディスプレイデバイス、スピーカデバイス、バーコードリーダ、データ通信ユニット、等を有する(図示せず)。
【００７４】
また、ユーザ携帯端末１００は、いわゆる多機能な携帯電話端末などからなり、図５および図６に示すように、コンピュータユニット１１０、キーボードデバイス１２０、ディスプレイデバイス１３１、スピーカデバイス１３２、マイクロフォン１３３、電波通信ユニット１３４、赤外線通信ユニット１３５、等のハードウェアを有する。
【００７５】
より詳細には後述するが、ユーザ携帯端末１００は、上述のコンピュータユニット１１０が実装されているコンピュータプログラムに対応して各種のハードウェアを統合制御することなどにより、図１に示すように、前述の決済制御部１１１などが各種機能として論理的に実現されている。
【００７６】
このため、決済制御部１１１は、ユーザ携帯端末１００に形成されていて確定されたタバコパックＳＴＰ等の売買決済処理を実行する。さらに、ユーザ携帯端末１００は、売買決済処理が完了したタバコパックＳＴＰ等の販売商品情報を販売処理装置２００まで送信する決済送信部１１２も有し、販売処理装置２００は、売買決済処理が完了したタバコパックＳＴＰ等の販売商品情報をユーザ携帯端末１００から受信して店舗作業員に報知出力する商品報知部２１０も有する。
【００７７】
また、ユーザ携帯端末１００は、図５および図６に示すように、前述のキーボードデバイス１２０の一部として、上下左右のユーザ入力操作を受け付ける縦横操作部１２１と、選定されているタバコパックＳＴＰ等を確定するユーザ入力操作を受け付ける確定操作部１２２と、も有する。
【００７８】
なお、この確定操作部１２２は、頻繁に利用されるメインキーとして、キーボードデバイス１２０の上部中央に形成されている。そして、縦横操作部１２１は、いわゆる十字キーとして機能するように、円形の確定操作部１２２を包囲する環状に形成されている。
【００７９】
このユーザ携帯端末１００は、前述のようにコンピュータユニット１１０が実装されているコンピュータプログラムに対応して機能することなどにより、図１に示すように、縦横操作部１２１のユーザ入力操作に対応して画像表示されているタバコパックＳＴＰ等の選定部位を上下左右に移動させる選定移動信号ＳＭＳをディスプレイパネル４０１に無線送信する選定送信部１１３と、確定操作部１２２のユーザ入力操作に対応して選定されているタバコパックＳＴＰ等を確定する商品確定信号ＴＤＳをディスプレイパネル４０１に無線送信する確定送信部１１４と、も論理的に有する。
【００８０】
このため、前述した画像表示装置４００の商品表示部４１０は、複数種類のタバコパックＳＴＰ等を上下左右に配列させてディスプレイパネル４０１に画像表示させ、商品選定部４２０は、ユーザ携帯端末１００から無線受信する選定移動信号ＳＭＳによりディスプレイパネル４０１に画像表示されているタバコパックＳＴＰ等を選定し、商品確定部４３０は、ユーザ携帯端末１００から無線受信する商品確定信号ＴＤＳによりディスプレイパネル４０１で選定されているタバコパックＳＴＰ等を確定する。
【００８１】
さらに、本実施の形態の画像表示装置４００は、図３に示すように、前述のようにレジ店員スペースＳＲＳの後部上方などに天井面から懸架されている。このため、ディスプレイパネル４０１として大画面かつ薄型のフルカラー表示のＰＤＰ(Plasma Display Panel)やＬＣＤ(Liquid Crystal Display)などを有する。
【００８２】
この画像表示装置４００も、図１０に示すように、ディスプレイパネル４０１とコンピュータユニット４０２とデータ通信ユニット４０３とを有し、このデータ通信ユニット４０３が前述の通信ネットワークに接続されている。
【００８３】
さらに、画像表示装置４００は、ユーザ携帯端末１００と赤外線で無線通信する赤外線通信ユニット４０４も有し、この赤外線通信ユニット４０４もコンピュータユニット４０２に接続されている。
【００８４】
このため、図１に示すように、商品選定部４２０および商品確定部４３０がディスプレイパネル４０１に形成されており、ユーザ携帯端末１００の選定送信部１１３および確定送信部１１４と赤外線で各々通信する。
【００８５】
さらに、収容記憶部３１０は、店頭収容ラック３００に形成されており、その複数種類のタバコパックＳＴＰ等と複数の商品収容位置ＰＫＳとの収容対応関係ＫＣＲを記憶する。
【００８６】
なお、この収容対応関係ＫＣＲでは、商品収容位置ＰＫＳごとにタバコ銘柄データＴＢＤが登録されており、このタバコ銘柄データＴＢＤは、タバコパックＳＴＰの商品ＩＤデータＴＩＤやタバコ銘柄画像ＴＢＰなどからなる。
【００８７】
そこで、画像表示装置４００の商品表示部４１０は、図９に示すように、記憶されている収容対応関係ＫＣＲにより複数種類のタバコパックＳＴＰ等のタバコ銘柄画像ＴＢＰを商品収容位置ＰＫＳに対応してディスプレイパネル４０１に画像表示させる。
【００８８】
また、本実施の形態の店頭収容ラック３００は、やはり詳細には後述するが、前述のように確定されたタバコパックＳＴＰ等の商品収容位置ＰＫＳを報知出力する収容報知部３２０も論理的に有する。
【００８９】
より具体的には、この店頭収容ラック３００は、図７に示すように、前後方向に細長い上面開口のボックス状に形成されていて前後方向に配列された複数のタバコパックＳＴＰを保持する形状の複数のマガジンユニット３０１、上面開口のボックス状に形成されていて左右方向に配列された複数のマガジンユニット３０１を保持する形状の複数のトレーユニット３０２、前面開口のボックス状に形成されていて上下方向に離間した配置で複数のトレーユニット３０２を保持する形状の複数のフレームユニット３０３、等で構築されている。
【００９０】
店頭収容ラック３００は、陳列販売商品であるタバコパックＳＴＰ、複数のタバコパックＳＴＰがパックされた商品であるタバコカートンＳＴＫ、特別なタバコパックＳＴＰであるブリックパックＳＢＰ、等を陳列する。
【００９１】
なお、ブリックパックＳＢＰは、例えば、携帯灰皿などのノベルティグッズをタバコパックＳＴＰと一体にパッキングした構造などからなり、上述のように特別な構造のタバコパックＳＴＰと認識することができる。
【００９２】
現在、タバコパックＳＴＰは、上下寸法に多少の長短はあるものの、一般的に前後左右の寸法が共通した定型の直方体状に形成されている。そして、本実施の形態では、タバコパックＳＴＰの最大面を前面および後面、最小面を上面および下面、と規定する。
【００９３】
なお、通常のタバコパックＳＴＰは前面(および後面)に銘柄などが表記されている。このため、その前面が前方に位置する適正な方向の状態で陳列されることが好ましい。そして、マガジンユニット３０１は、上述のように方向が適正な状態の複数のタバコパックＳＴＰを前後方向に配列した状態で収容する。
【００９４】
トレーユニット３０２も、上面が開口したボックス状に無色透明な樹脂で形成されている。トレーユニット３０２には、複数のマガジンユニット３０１が左右方向に配列された状態で設置される。
【００９５】
ただし、本実施の形態の店頭収容ラック３００では、五個のマガジンユニット３０１が設置されている幅広のトレーユニット３０２と、三個のマガジンユニット３０１が設置されている幅狭のトレーユニット３０２と、がある。
【００９６】
そこで、本実施の形態の店頭収容ラック３００は、図７に示すように、左右寸法が大きいトレーユニット３０２を三個支持するフレームユニット３０３、左右寸法が大きいトレーユニット３０２を二個支持するフレームユニット３０３、左右寸法が小さいトレーユニット３０２を三個支持するフレームユニット３０３、左右寸法が小さいトレーユニット３０２を二個支持するフレームユニット３０３、で形成されている。
【００９７】
なお、本実施の形態の店頭収容ラック３００は、前述のようにトレーユニット３０２に設置されているマガジンユニット３０１にタバコパックＳＴＰを収容する他、マガジンユニット３０１が設置されていないトレーユニット３０２にタバコカートンＳＴＫを長手方向が前後方向の状態や左右方向の状態で収容することもできる。
【００９８】
そして、本実施の形態の店頭収容ラック３００では、上述のようにタバコパックＳＴＰやタバコカートンＳＴＫやブリックパックＳＢＰを収容するマガジンユニット３０１やトレーユニット３０２の前面に、その商品収容位置ＰＫＳを報知する発光素子３１２が装着されている。
【００９９】
この発光素子３１２は、例えば、発色が相違する複数のＬＥＤ(Light Emitting Diode)を内蔵したユニット構造に形成されており、赤色や緑色などの複数カラーに省電力に点灯する。
【０１００】
なお、上述のように商品収容位置ＰＫＳとなるマガジンユニット３０１やトレーユニット３０２には、図８に示すように、そのタバコパックＳＴＰやタバコカートンＳＴＫやブリックパックＳＢＰの店頭在庫状況を検出する光学センサ３１３が各々の所定位置に搭載されている。
【０１０１】
そして、店頭収容ラック３００は、コンピュータユニット３１１も有しており、そのコンピュータユニット３１１に、マガジンユニット３０１やトレーユニット３０２ごとの複数の発光素子３１２および光学センサ３１３が接続されている。
【０１０２】
また、店頭収容ラック３００のコンピュータユニット３１１にはデータ通信ユニット３１４も接続されており、このデータ通信ユニット３１４が販売処理装置２００および画像表示装置４００と社内ＬＡＮ(Local Area Network)などの通信ネットワーク(図示せず)で接続されている。
【０１０３】
本実施の形態の店頭収容ラック３００も、やはりコンピュータユニット３１１が実装されているコンピュータプログラムに対応して各部を統合制御することなどにより、前述の収容記憶部３１０と収容報知部３２０とが論理的に実現されている。
【０１０４】
前述のように、本実施の形態の販売支援システム１０００では、ユーザ携帯端末１００と販売処理装置２００と店頭収容ラック３００と画像表示装置４００とは、そのコンピュータユニット１１０，３１１，４０２等が実装されているコンピュータプログラムに対応して各種ハードウェアを統合制御することなどにより、図１に示すように、その決済制御部１１１〜，商品報知部２１０，収容記憶部３１０〜，商品表示部４１０〜、等の各部が論理的に実現されている。
【０１０５】
例えば、ユーザ携帯端末１００の選定送信部１１３は、コンピュータユニット１１０が実装されているコンピュータプログラムに対応して縦横操作部１２１のユーザ入力操作を認識して赤外線通信ユニット１３５を動作制御する機能などに相当する。
【０１０６】
同様に、確定送信部１１４は、コンピュータユニット１１０がコンピュータプログラムに対応して確定操作部１２２のユーザ入力操作を認識して赤外線通信ユニット１３５を動作制御する機能などに相当する。
【０１０７】
決済制御部１１１は、コンピュータユニット１１０がコンピュータプログラムに対応して確定操作部１２２のユーザ入力操作を認識する機能などに相当し、決済送信部１１２は、赤外線通信ユニット１３５を動作制御する機能などに相当する。
【０１０８】
店頭収容ラック３００の収容記憶部３１０は、コンピュータユニット３１１がコンピュータプログラムに対応して認識する内蔵メモリの記憶エリアなどに相当する。収容報知部３２０は、コンピュータユニット３１１がコンピュータプログラムに対応して発光素子３１２の点灯を動作制御する機能などに相当する。
【０１０９】
画像表示装置４００の商品表示部４１０は、コンピュータユニット４０２がコンピュータプログラムに対応して店頭収容ラック３００の記憶データをディスプレイパネル４０１に表示出力させる機能などに相当する。
【０１１０】
商品選定部４２０と商品確定部４３０とは、コンピュータユニット４０２がコンピュータプログラムに対応してディスプレイパネル４０１の画像表示を動作制御する機能などに相当する。
【０１１１】
販売処理装置２００の商品報知部２１０は、コンピュータユニット(図示せず)がコンピュータプログラムに対応してデータ通信ユニットの受信データをディスプレイユニットに表示出力させる機能などに相当する。
【０１１２】
なお、上述のようなユーザ携帯端末１００のコンピュータプログラムは、例えば、製品に最初から実装されているＯＳ(Operating System)等の標準プログラムと、タバコパックＳＴＰの商品製造メーカ(図示せず)がインターネットなどで配布するアプリケーションプログラムと、の組み合わせからなる。
【０１１３】
このようなユーザ携帯端末１００のコンピュータプログラムは、例えば、縦横操作部１２１のユーザ入力操作に対応して画像表示されているタバコパックＳＴＰ等の選定部位を上下左右に移動させる選定移動信号ＳＭＳをディスプレイパネル４０１に無線送信する選定送信処理と、確定操作部１２２のユーザ入力操作に対応して選定されているタバコパックＳＴＰ等を確定する商品確定信号ＴＤＳをディスプレイパネル４０１に無線送信する確定送信処理と、確定されたタバコパックＳＴＰ等の売買決済処理を実行する売買決済処理と、売買決済処理が完了したタバコパックＳＴＰ等の販売商品情報を販売処理装置２００まで送信する決済送信処理と、等をユーザ携帯端末１００に実行させるように記述されている。
【０１１４】
また、店頭収容ラック３００のコンピュータプログラムは、複数種類のタバコパックＳＴＰ等と複数の商品収容位置ＰＫＳとの収容対応関係ＫＣＲを記憶する収容記憶処理と、確定されたタバコパックＳＴＰ等の商品収容位置ＰＫＳを報知出力する収容報知処理と、等を店頭収容ラック３００に実行させるように記述されている。
【０１１５】
また、画像表示装置４００のコンピュータプログラムは、例えば、店頭収容ラック３００に収容されている複数種類のタバコパックＳＴＰ等をディスプレイパネル４０１に画像表示させる商品表示処理と、ユーザ携帯端末１００のユーザ入力操作に対応してディスプレイパネル４０１に画像表示されているタバコパックＳＴＰ等を自在に選定する商品選定処理と、ユーザ携帯端末１００のユーザ入力操作に対応してディスプレイパネル４０１で選定されているタバコパックＳＴＰ等を確定する商品確定処理と、等を画像表示装置４００に実行させるように記述されている。
【０１１６】
そして、販売処理装置２００のコンピュータプログラムは、売買決済処理が完了したタバコパックＳＴＰ等の販売商品情報をユーザ携帯端末１００から受信して店舗作業員に報知出力する商品報知処理、等を販売処理装置２００に実行させるように記述されている。
【０１１７】
上述のような構成において、本実施の形態の販売支援システム１０００では、コンビニエンスストアＣＶＳに店頭販売商品としてタバコパックＳＴＰ等を納品している商品製造メーカが、例えば、インターネットのウェブサイトでタバコ簡易購入のアプリケーションプログラムをユーザ携帯端末１００に配布する(図示せず)。
【０１１８】
そこで、タバコパックＳＴＰ等の簡易購入を要望する一般ユーザは、自身のユーザ携帯端末１００で上述のウェブサイトからアプリケーションプログラムをダウンロードしてインストールする。
【０１１９】
これでユーザ携帯端末１００には、前述した決済制御部１１１等の各部が論理的に実現され、コンビニエンスストアＣＶＳの画像表示装置４００を利用したタバコパックＳＴＰ等の簡易購入が可能な状態となる。
【０１２０】
一方、コンビニエンスストアＣＶＳの店頭販売商品であるタバコパックＳＴＰ等は、図３に示すように、例えば、レジ店員スペースＳＲＳの後方に店頭収容ラック３００で陳列されている。その商品収容位置ＰＫＳとタバコパックＳＴＰなどの商品ＩＤデータＴＩＤとの収容対応関係ＫＣＲが店頭収容ラック３００にデータ登録される。
【０１２１】
このような状態で、店頭収容ラック３００は、図１１に示すように、複数の商品収容位置ＰＫＳごとにタバコパックＳＴＰなどの店頭在庫状況を光学センサ３１３により常時検出しており(ステップＴ１)、店頭在庫無しが検出された商品収容位置ＰＫＳの発光素子３１２を赤色に点灯させる(ステップＴ２−Ｙ，Ｔ３)。
【０１２２】
これで店頭在庫無しのタバコパックＳＴＰなどを店舗作業員が確実に認識することになるので、その店舗作業員は時間のあるときにタバコパックＳＴＰを商品収容位置ＰＫＳに補充することになる。この補充を検出した店頭収容ラック３００では(ステップＴ４−Ｙ)、その商品収容位置ＰＫＳの発光素子３１２の赤色の点灯が終了される(ステップＴ５)。
【０１２３】
上述のような状態で、タバコパックＳＴＰの購入を希望する一般ユーザは、従来はレジ店員スペースＳＲＳの店舗作業員にタバコ銘柄と個数などを口頭で伝達することで、所望のタバコパックＳＴＰを購入していた。
【０１２４】
しかし、本実施の形態の販売支援システム１０００では、前述のように一般ユーザが所望によりタバコ簡易購入のアプリケーションプログラムをユーザ携帯端末１００にインストールしておくことで、画像表示装置４００を利用してタバコパックＳＴＰ等を簡易購入することができる。
【０１２５】
まず、画像表示装置４００は、図１３および図９に示すように、通常は店頭収容ラック３００から取得する収容対応関係ＫＣＲによりタバコ銘柄画像ＴＢＰを商品収容位置ＰＫＳに対応して表示している(ステップＥ１)。
【０１２６】
そこで、このような画像表示装置４００の表示画像を確認した一般ユーザが、図１２および図１４に示すように、所望によりユーザ携帯端末１００の所定操作で上述のタバコ簡易購入のアプリケーションプログラムを起動する(ステップＳ１−Ｙ，Ｓ２)。
【０１２７】
すると、ユーザ携帯端末１００は、図１２に示すように、画像表示装置４００に赤外線での通信要求を送信する(ステップＳ３)。図１３に示すように、この通信要求を受信した画像表示装置４００は(ステップＥ２−Ｙ)、ユーザ携帯端末１００との一対一の赤外線通信を確立する(ステップＥ３，Ｓ４−Ｙ)。
【０１２８】
すると、画像表示装置４００は、例えば、表示画面の中央に位置するタバコ銘柄画像ＴＢＰや、最も売れているタバコパックＳＴＰのタバコ銘柄画像ＴＢＰなどを、標準銘柄として選定表示する(ステップＥ４)。
【０１２９】
この画像表示装置４００の選定表示は、図１５および図１６に示すように、選定されているタバコ銘柄画像ＴＢＰを明転させ、それ以外のタバコ銘柄画像ＴＢＰを暗転させることなどで、明瞭に実行される。
【０１３０】
さらに、この画像表示装置４００は、図１３に示すように、上述のように選定表示されたタバコパックＳＴＰのタバコ銘柄データＴＢＤをユーザ携帯端末１００に赤外線送信する(ステップＥ５)。
【０１３１】
図１２に示すように、このタバコ銘柄データＴＢＤを赤外線受信したユーザ携帯端末１００では(ステップＳ７−Ｙ)、図１５および図１６に示すように、そのタバコ銘柄データＴＢＤにより購入ガイダンスメッセージがディスプレイデバイス１３１に表示出力される(ステップＳ８)。
【０１３２】
このため、一般ユーザは画像表示装置４００とユーザ携帯端末１００との両方で、購入候補のタバコパックＳＴＰを確認することになる。そこで、そのタバコパックＳＴＰの購入を要望しない場合には、図１５(ｂ)に示すように、縦横操作部１２１を上下左右にユーザ入力操作する。
【０１３３】
すると、これを検知したユーザ携帯端末１００は(ステップＳ５−Ｙ)、縦横操作部１２１のユーザ入力操作に対応して選定移動信号ＳＭＳを画像表示装置４００に赤外線送信する(ステップＳ６)。
【０１３４】
この画像表示装置４００は(ステップＥ６−Ｙ)、図１５(ａ)に示すように、受信した選定移動信号ＳＭＳに対応してタバコ銘柄画像ＴＢＰの選定表示位置を上下左右に移動させる(ステップＥ７)。
【０１３５】
そして、このようにタバコ銘柄画像ＴＢＰが選定表示されるごとに、対応するタバコ銘柄データＴＢＤをユーザ携帯端末１００に赤外線送信するので(ステップＥ８)、そのタバコ銘柄データＴＢＤがユーザ携帯端末１００のディスプレイデバイス１３１に表示出力される(ステップＳ８)。
【０１３６】
上述のような入力操作により所望のタバコパックＳＴＰを選定した一般ユーザは、図１６(ｂ)に示すように、確定操作部１２２をユーザ入力操作する。すると、これを検知したユーザ携帯端末１００では(ステップＳ９−Ｙ)、商品確定信号ＴＤＳを画像表示装置４００に赤外線送信する(ステップＳ１０)。
【０１３７】
そして、本実施の形態の販売支援システム１０００では、上述のようにタバコ簡易購入の確定がユーザ入力操作されたユーザ携帯端末１００は(ステップＳ９−Ｙ)、商品確定信号ＴＤＳの画像表示装置４００への赤外線送信を完了すると(ステップＳ１０)、例えば、既存のクレジットカード機能や電子マネー機能などにより、そのタバコパックＳＴＰの売買決済処理も実行する(ステップＳ１１)。
【０１３８】
この売買決済処理を完了したユーザ携帯端末１００は、決済完了信号を画像表示装置４００に赤外線送信する(ステップＳ１２)。すると、この画像表示装置４００は、赤外線受信した決済完了信号をタバコ銘柄データＴＢＤとともに販売処理装置２００と店頭収容ラック３００とに有線転送する(ステップＥ１１)。
【０１３９】
この決済完了信号を有線受信した店頭収容ラック３００では(ステップＴ６−Ｙ)、該当する商品収容位置ＰＫＳの店頭在庫状況が確認される。そこで、店頭在庫有りの場合は(ステップＴ７−Ｎ)、対応する商品収容位置ＰＫＳの発光素子３１２が黄色に点滅される(ステップＴ８)。
【０１４０】
このとき、決済完了信号を受信した販売処理装置２００でも、「タバコパックＥがユーザ購入されました。ラックから取得して顧客に手渡してください」などのガイダンスメッセージがディスプレイユニットに表示出力される(図示せず)。
【０１４１】
そこで、販売処理装置２００で作業していた店舗作業員は、タバコパックＳＴＰなどを取得するために店頭収容ラック３００の位置に移動することになる。その店頭収容ラック３００では、上述のように商品収容位置ＰＫＳが発光素子３１２の黄色の点滅で報知されているので、これで一般ユーザが購入したタバコパックＳＴＰなどの商品収容位置ＰＫＳが店舗作業員に即座に確実に認識される。
【０１４２】
そこで、その店舗作業員はタバコパックＳＴＰを店頭収容ラック３００の商品収容位置ＰＫＳから取得することになる。すると、この取得も光学センサ３１３により検出されるので(ステップＴ９−Ｙ)、発光素子３１２の黄色の点滅が終了される(ステップＴ１０)。
【０１４３】
このようにタバコパックＳＴＰなどを取得した店舗作業員が販売処理装置２００の位置に帰還すると、そのタバコパックＳＴＰを購入する一般ユーザも販売処理装置２００の位置に移動しているので、そのタバコパックＳＴＰは一般ユーザに手渡されることになる。
【０１４４】
なお、店頭収容ラック３００で店頭在庫無しが検出されたときは(ステップＴ７−Ｙ)、対応する商品収容位置ＰＫＳの発光素子３１２が赤色に点滅される(ステップＴ１１)。そして、前述のように店頭収容ラック３００の位置に移動した店舗作業員は、発光素子３１２の赤色点滅により店頭商品欠品を即座に認識することになり、一般ユーザに欠品を謝罪するとともに、可能であればバックヤードなどからタバコパックＳＴＰなどを補充する。
【０１４５】
この補充に成功したときは、当然ながら、そのタバコパックＳＴＰなどが一般ユーザに手渡される。同時に、そのタバコパックＳＴＰなどが店頭収容ラック３００の商品収容位置ＰＫＳに補充される。
【０１４６】
すると、このタバコパックＳＴＰなどの補充も光学センサ３１３により検出されるので(ステップＴ１２−Ｙ)、その商品収容位置ＰＫＳの発光素子３１２の赤色の点滅も終了される(ステップＴ１０)。なお、上述のタバコパックＳＴＰなどが完全に欠品していた場合には、例えば、販売処理装置２００により返金処理が実行される。
【０１４７】
また、図１２に示すように、上述のようにユーザ入力操作でタバコ簡易購入を完了した一般ユーザは、ユーザ携帯端末１００の簡易購入アプリケーションの終了を所定操作により入力する(ステップＳ１３)。
【０１４８】
すると、ユーザ携帯端末１００は、赤外線通信の終了を画像表示装置４００に送信してから(ステップＳ１４)、簡易購入アプリケーションを終了する(ステップＳ１５)。図１３に示すように、上述のように赤外線通信の終了を受信した画像表示装置４００では(ステップＥ１２−Ｙ)、確立していた赤外線通信を終了する(ステップＥ１４)。
【０１４９】
なお、ユーザ携帯端末１００も画像表示装置４００も、所定時間まで入力操作等が発生しないと(ステップＳ１６−Ｙ，Ｅ１２−Ｙ)、タイムアウトにより簡易購入アプリケーションと赤外線通信とを終了する(ステップＳ１５，Ｅ１４)。
【０１５０】
本実施の形態の販売支援システム１０００では、上述のようにコンビニエンスストアＣＶＳのレジ店員スペースＳＲＳに設置される店頭収容ラック３００が一般ユーザの要望により店舗作業員が取得するタバコパックＳＴＰ等を商品収容位置ＰＫＳごとに取得自在に収容し、少なくとも店頭収容ラック３００に収容されているタバコパックＳＴＰ等を収容記憶部３１０が記憶する。
【０１５１】
さらに、表示画像が一般ユーザに視認されるディスプレイパネル４０１がレジ店員スペースＳＲＳに設置され、そのディスプレイパネル４０１に商品表示部４１０が店頭収容ラック３００に収容されている複数種類のタバコパックＳＴＰ等を画像表示させる。
【０１５２】
そして、ユーザ携帯端末１００のユーザ入力操作に対応してディスプレイパネル４０１に画像表示されているタバコパックＳＴＰ等を商品選定部４２０が自在に選定し、ユーザ携帯端末１００のユーザ入力操作に対応してディスプレイパネル４０１で選定されているタバコパックＳＴＰ等を商品確定部４３０が確定する。この確定されたタバコパックＳＴＰ等の売買決済処理を実行制御部１１１が実行する。
【０１５３】
このため、一般ユーザは自身のユーザ携帯端末１００のユーザ入力操作でディスプレイパネル４０１に画像表示されているタバコパックＳＴＰ等を自在に選定して確定することができ、この確定されたタバコパックＳＴＰ等の売買決済処理も実行することができる。
【０１５４】
従って、一般ユーザによるアクセスが容易ではないレジ店員スペースＳＲＳのタバコパックＳＴＰ等でも、購入を簡単かつ迅速としてＬＴＶとリテンションを向上させることができる。
【０１５５】
特に、決済制御部１１１は、ユーザ携帯端末１００に形成されていて確定されたタバコパックＳＴＰ等の売買決済処理を実行する。このため、ユーザ携帯端末１００の既存のクレジットカード機能などで売買決済処理を実行することができ、タバコパックＳＴＰの選定から決済までを、一般ユーザがユーザ携帯端末１００で完了することができる。
【０１５６】
従って、一般ユーザは他人に気兼ねなく所望のタバコパックＳＴＰを選定して購入することができる。しかも、コンビニエンスストアＣＶＳの店舗作業員は、決済が完了したタバコパックＳＴＰを一般ユーザに手渡すだけでよく、レジ店員スペースＳＲＳの混雑などを解消することができる。
【０１５７】
さらに、ユーザ携帯端末１００は、売買決済処理が完了したタバコパックＳＴＰ等の販売商品情報を販売処理装置２００まで送信し、販売処理装置２００は、売買決済処理が完了したタバコパックＳＴＰ等の販売商品情報をユーザ携帯端末１００から受信して店舗作業員に報知出力する。
【０１５８】
このため、店舗作業員は販売処理装置２００で作業しながら、一般ユーザが購入を完了したタバコパックＳＴＰを間違いなく迅速に確認することができ、そのタバコパックＳＴＰを一般ユーザに手渡すことができる。
【０１５９】
さらに、ユーザ携帯端末１００は、上下左右のユーザ入力操作を受け付ける縦横操作部１２１と、縦横操作部１２１のユーザ入力操作に対応して画像表示されているタバコパックＳＴＰ等の選定部位を上下左右に移動させる選定移動信号ＳＭＳをディスプレイパネル４０１に無線送信する選定送信部１１３と、選定されているタバコパックＳＴＰ等を確定するユーザ入力操作を受け付ける確定操作部１２２と、確定操作部１２２のユーザ入力操作に対応して選定されているタバコパックＳＴＰ等を確定する商品確定信号ＴＤＳをディスプレイパネル４０１に無線送信する確定送信部１１４とを有する。
【０１６０】
そこで、画像表示装置４００の商品表示部４１０は、複数種類のタバコパックＳＴＰ等を上下左右に配列させてディスプレイパネル４０１に画像表示させ、商品選定部４２０は、ユーザ携帯端末１００から無線受信する選定移動信号ＳＭＳによりディスプレイパネル４０１に画像表示されているタバコパックＳＴＰ等を選定し、商品確定部４３０は、ユーザ携帯端末１００から無線受信する商品確定信号ＴＤＳによりディスプレイパネル４０１で選定されているタバコパックＳＴＰ等を確定する。
【０１６１】
上述の縦横操作部１２１と確定操作部１２２とは、一般的なユーザ携帯端末１００には標準装備されており、選定送信部１１３と確定送信部１１４とは、タバコパックＳＴＰの商品製造メーカから配布されるアプリケーションプログラムで実現される。
【０１６２】
このため、一般的なユーザ携帯端末１００で、専用の画像表示装置４００に画像表示されているタバコパックＳＴＰ等の選定部位を上下左右に移動させることができ、選定されているタバコパックＳＴＰ等を確定することができる。
【０１６３】
特に、ユーザ携帯端末１００と画像表示装置４００とは赤外線通信で上述のような各種通信を実行する。このため、電波法などを配慮する必要がなく、簡単かつ確実に通信を実行することができる。
【０１６４】
また、収容記憶部３１０は、店頭収容ラック３００の複数種類のタバコパックＳＴＰ等と複数の商品収容位置ＰＫＳとの収容対応関係ＫＣＲを記憶し、商品表示部４１０は、記憶されている収容対応関係ＫＣＲにより複数種類のタバコパックＳＴＰ等のタバコ銘柄画像ＴＢＰを商品収容位置ＰＫＳに対応してディスプレイパネル４０１に画像表示させる。
【０１６５】
このため、一般ユーザは実際に店頭収容ラック３００に収容されているタバコパックＳＴＰを意識しながら、所望のタバコパックＳＴＰを選定して確定することができ、店頭収容ラック３００に収容されていないタバコパックＳＴＰを無為に探し回るようなことがない。
【０１６６】
しかも、本実施の形態の販売支援システム１０００では、一般ユーザが購入したタバコパックＳＴＰを、一個の画像表示装置４００の一つの表示画像で一般ユーザと店舗作業員とが確認することができる。このため、一般ユーザと店舗作業員とに錯誤が発生することがない。
【０１６７】
さらに、図３に示すように、画像表示装置４００は、例えば、レジ店員スペースＳＲＳの後部上方に天井面などから懸架される。このため、一般ユーザと店舗作業員との両方が良好に視認することができ、レジ店員スペースＳＲＳのデッドスペースを有効利用することができる。
【０１６８】
しかも、店頭収容ラック３００は、決済処理が完了されたタバコパックＳＴＰの商品収容位置ＰＫＳを発光素子３１２の点滅で報知出力する。そこで、店舗作業員は販売処理装置２００の位置から店頭収容ラック３００の位置に移動し、発光素子３１２が点滅している商品収容位置ＰＫＳからタバコパックＳＴＰを迅速かつ簡単に取得することができる。
【０１６９】
従って、店舗作業員は販売処理装置２００を入力操作している状態でも、そのタバコパックＳＴＰが収容されている店頭収容ラック３００の商品収容位置ＰＫＳも即座に正確に発見することができる。
【０１７０】
このため、膨大な品種のタバコパックＳＴＰが巨大な店頭収容ラック３００の膨大な個数の商品収容位置ＰＫＳに収容されていても、一般ユーザが購入したタバコパックＳＴＰを店舗作業員が即座に発見して取得することができる。
【０１７１】
また、店頭収容ラック３００は、商品収容位置ＰＫＳに収容されているタバコパックＳＴＰなどの取得を検出し、報知出力している商品収容位置ＰＫＳからタバコパックＳＴＰなどが取得されたことが検出されると報知出力を停止する。このため、店舗作業員の入力操作などを必要とすることなく、商品収容位置ＰＫＳの報知出力が自動的に停止される。
【０１７２】
特に、前述のようなタバコパックＳＴＰなどの店頭在庫状況を検出する光学センサ３１３で、上述のようなタバコパックＳＴＰなどの取得も検出するので、その構造が簡単である。
【０１７３】
さらに、本実施の形態の店頭収容ラック３００は、複数の商品収容位置ＰＫＳごとに光学センサ３１３で店頭在庫状況を常時監視しており、店頭在庫無しが検出された商品収容位置ＰＫＳの発光素子３１２を赤色に点灯させる。
【０１７４】
このため、店舗作業員はタバコパックＳＴＰなどの欠品を確実に迅速に認識することができ、時間のあるときにタバコパックＳＴＰなどを商品収容位置ＰＫＳに補充することができる。
【０１７５】
しかも、上述のように欠品しているタバコパックＳＴＰが一般ユーザによりユーザ簡易購入されると、その商品収容位置ＰＫＳの発光素子３１２が赤色に点滅される。このため、一般ユーザが購入したタバコパックＳＴＰが欠品していること、そのタバコパックＳＴＰを即座に補充する必要があること、を店舗作業員が確実に認識することができる。
【０１７６】
なお、本発明は本実施の形態に限定されるものではなく、その要旨を逸脱しない範囲で各種の変形を許容する。例えば、上記形態では、商品表示部４１０と商品選定部４２０と商品確定部４３０とが画像表示装置４００に形成されており、収容記憶部３１０が店頭収容ラック３００に形成されていることを例示した。
【０１７７】
しかし、このような各部の一部ないし全部は、販売処理装置２００や店頭収容ラック３００や画像表示装置４００に各種に配分することができる。当然ながら、上述のような各部の一部ないし全部を、販売処理装置２００や店頭収容ラック３００とは別個のデータ処理装置が有してもよい(図示せず)。
【０１７８】
例えば、販売処理装置２００が売買決済処理に対応して生成する販売履歴データを取得する店舗サーバ装置をコンビニエンスストアＣＶＳの店舗バックヤードなどに設置しておき、その店舗サーバ装置が、上述した収容記憶部３１０や商品表示部４１０などの一部ないし全部を有してもよい。
【０１７９】
この場合、既存の店舗サーバ装置にソフトウェアのインストールで収容記憶部３１０や商品表示部４１０などの各部を実現することができ、画像表示装置４００は単純なディスプレイパネル４０１のみで実現するようなことができる(図示せず)。
【０１８０】
また、上記形態ではユーザ携帯端末１００に決済制御部１１１が形成されていて確定されたタバコパックＳＴＰ等の売買決済処理を実行することを例示した。しかし、ユーザ携帯端末１００の決済制御部１１１が、販売処理装置２００と無線通信して確定されたタバコパックＳＴＰ等の売買決済処理を実行させてもよい。
【０１８１】
さらに、決済制御部１１１が販売処理装置２００に形成されていてディスプレイパネル４０１で確定されたタバコパックＳＴＰ等の売買決済処理を実行してもよい(図示せず)。なお、このような販売処理装置２００に形成されている商品報知部２１０が、確定されたタバコパックＳＴＰ等を店舗作業員に報知出力してもよい。
【０１８２】
また、上記形態の販売支援システム１０００では、画像表示装置４００のディスプレイパネル４０１にタバコパックＳＴＰのタバコ銘柄画像ＴＢＰを商品収容位置ＰＫＳごとに表示出力することのみ例示した。
【０１８３】
しかし、上述のような販売支援システムが、複数種類のタバコパックＳＴＰの少なくとも一部とともに関連するタバコパックＳＴＰの宣伝画像データＣＶＤを記憶する宣伝記憶部と、確定されたタバコパックＳＴＰとともに記憶されている宣伝画像データＣＶＤを選出する宣伝選出部と、選出された宣伝画像データＣＶＤを確定されたタバコパックＳＴＰとともにディスプレイパネル４０１に表示出力させる宣伝表示部とを、さらに有してもよい(図示せず)。
【０１８４】
この場合、一般ユーザがタバコパックＳＴＰを音声入力により注文すると、図１７に示すように、それに対応して特定の宣伝画像データＣＶＤが画像表示装置４００のディスプレイパネル４０１に表示出力される。このため、単純に宣伝画像データＣＶＤを常時表示している場合に比較して、効果的に新製品の宣伝などを実行することができる。
【０１８５】
また、上記形態では商品収容位置ＰＫＳに収容されているタバコパックＳＴＰなどの取得を店頭収容ラック３００が検出して報知出力を自動的に停止することを例示した。しかし、店頭収容ラック３００からタバコパックＳＴＰなどを取得する店舗作業員が、手動操作で発光素子３１２の報知出力を停止してもよい(図示せず)。
【０１８６】
さらに、上記形態では狭小なサプライチェーン店舗としてコンビニエンスストアＣＶＳを例示した。しかし、このようなサプライチェーン店舗として、より狭小な駅舎売店などを想定することもできる(図示せず)。
【０１８７】
また、上記形態では店頭収容ラック３００や画像表示装置４００などの各部がコンピュータプログラムにより各種機能として論理的に実現されることを例示した。しかし、このような各部の各々を固有のハードウェアとして形成することもでき、ソフトウェアとハードウェアとの組み合わせとして実現することもできる。
【０１８８】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【符号の説明】
【０１８９】
１００    ユーザ携帯端末
１１０    コンピュータユニット
１１１    決済制御部
１１２    決済送信部
１１３    選定送信部
１１４    確定送信部
１２０    キーボードデバイス
１２１    縦横操作部
１２２    確定操作部
１３１    ディスプレイデバイス
１３２    スピーカデバイス
１３３    マイクロフォン
１３４    電波通信ユニット
１３５    赤外線通信ユニット
２００    販売処理装置
２１０    商品報知部
３００    店頭収容ラック
３０１    マガジンユニット
３０２    トレーユニット
３０３    フレームユニット
３１０    収容記憶部
３１１    コンピュータユニット
３１２    発光素子
３１３    光学センサ
３１４    データ通信ユニット
３２０    収容報知部
４００    画像表示装置
４０１    ディスプレイパネル
４０２    コンピュータユニット
４０３    データ通信ユニット
４０４    赤外線通信ユニット
４１０    商品表示部
４２０    商品選定部
４３０    商品確定部
１０００    販売支援システム
ＣＶＤ    宣伝画像データ
ＣＶＳ    コンビニエンスストア
ＫＣＲ    収容対応関係
ＰＫＳ    商品収容位置
ＳＢＰ    ブリックパック
ＳＭＳ    選定移動信号
ＳＲＳ    レジ店員スペース
ＳＴＫ    タバコカートン
ＳＴＰ    タバコパック
ＴＢＤ    タバコ銘柄データ
ＴＢＰ    タバコ銘柄画像
ＴＤＳ    商品確定信号
ＴＩＤ    商品ＩＤデータ
【図１】
2010170224.tif 000003
【図２】
2010170224.tif 000004
【図３】
2010170224.tif 000005
【図４】
2010170224.tif 000006
【図５】
2010170224.tif 000007
【図６】
2010170224.tif 000008
【図７】
2010170224.tif 000009
【図８】
2010170224.tif 000010
【図９】
2010170224.tif 000011
【図１０】
2010170224.tif 000012
【図１１】
2010170224.tif 000013
【図１２】
2010170224.tif 000014
【図１３】
2010170224.tif 000015
【図１４】
2010170224.tif 000016
【図１５】
2010170224.tif 000017
【図１６】
2010170224.tif 000018
【図１７】
2010170224.tif 000019